(57)【特許請求の範囲】
【請求項１】
表示領域を有する携帯端末機の、表示領域を有する表面の全体に貼着するシート部材であって、
透明な基材フィルムと、印刷フレーム部と、覗き見防止フィルム及び粘着層を備え、
前記透明な基材フィルムは、平らな裏面と携帯端末機の表面の全面を被覆する寸法を有し、
前記印刷フレーム部は、前記基材フィルムの前記平らな裏面に、所定の厚みをもって携帯端末機の前記表示領域に対応する部分以外の部分を不透明塗料で塗りつぶして形成されており、
前記覗き見防止フィルムは、前記基材フィルムの前記平らな裏面と前記印刷フレーム部で囲まれた凹部に嵌め込まれる形で配置され、前記基材フィルムの前記平らな裏面の携帯端末機の前記表示領域に対応する部分に前記印刷フレーム部と段差を生じるように貼着されており、
前記粘着層は、前記印刷フレーム部及び前記覗き見防止フィルムの裏面全体に、裏面全体が平らとなる厚さに塗布されていること、
を特徴とした覗き見防止シート。
【請求項２】
前記印刷フレーム部は携帯端末機における表示領域の周囲を装飾するものであることを特徴とした請求項１に記載の覗き見防止シート。
【発明の詳細な説明】
【技術分野】
【０００１】
本発明は、携帯端末機の表面に貼着する覗き見防止シートに関する。
【背景技術】
【０００２】
携帯電話機等の携帯端末機用に覗き見防止シートが市販されている。この種のシートはシートを構成する層中に正面からの光だけを通過させるブラインド層を形成したものであるが、携帯端末機における表示領域だけに貼着するか、携帯端末機の前記表示領域を有する表面の全体に被覆するものである。
表示領域だけに貼着するものは、覗き見防止シート自体にわずかではあるが厚みがあるために、携帯端末機の表面に段差が生じ、外観が劣化したり、はがれたりしやすい。また、この種のシートは携帯端末機の表層を構成するガラスの破損や損傷を防止する機能も有するものが多いが、表示領域に貼着するだけでは、この機能を十分に発揮できない。
一方、携帯端末機の表面全体に貼着するものは、端末機の表層を構成するガラスの破損や損傷を防止する機能に優れるが、覗き見防止シート自体に前記ブラインド層が原因の着色（暗く見える）があり、また、前記表面の他の部分も覆ってしまうので、携帯端末機における前記表示領域以外のフレーム状に見える部分の色彩がくすんでしまう。
【０００３】
特許文献１には、携帯電話機の液晶表示装置が設けられている側の面（表面）の全体に貼り付けて使用される貼着シートが記載されている。この貼着シートは透明な基本シートと電磁波防止フィルム、覗き見防止フィルム及び粘着層を重ねた構造で、電磁波防止フィルムは前記液晶表示装置による表示領域の周囲を取り囲んで配置され、覗き見防止フィルムは前記基本シートの前面に重ねられている。
このため、電磁波防止フィルムは表示領域の周囲を取り囲むフレームのようになり、携帯電話機の表面に貼着シートを貼着すると、携帯電話機の表面の表示領域の周囲を隠ぺいしたり、くすませてしまう。また、覗き見防止フィルムも基本シートの裏面全域に存在するので、前記表示領域の周囲をくすませてしまう。
【先行技術文献】
【特許文献】
【０００４】
【特許文献１】特開２００８−２１９３０８号公報
【発明の概要】
【発明が解決しようとする課題】
【０００５】
携帯端末機の表示領域を有する表面において、表示領域周囲の美観を損なわずに表示領域に覗き見防止機能を持たせることができ、携帯端末機に貼着しやすい覗き見防止シートの提供。
【課題を解決するための手段】
【０００６】
請求項１に係る発明は、表示領域を有する携帯端末機の、表示領域を有する表面の全体に貼着するシート部材であって、透明な基材フィルムと、印刷フレーム部と、覗き見防止フィルム及び粘着層を備え、前記透明な基材フィルムは、平らな裏面と携帯端末機の表面の全面を被覆する寸法を有し、前記印刷フレーム部は、前記基材フィルムの前記平らな裏面に、所定の厚みをもって携帯端末機の前記表示領域に対応する部分以外の部分を不透明塗料で塗りつぶして形成されており、前記覗き見防止フィルムは、前記基材フィルムの前記平らな裏面と前記印刷フレーム部で囲まれた凹部に嵌め込まれる形で配置され、前記基材フィルムの前記平らな裏面の携帯端末機の前記表示領域に対応する部分に前記印刷フレーム部と段差を生じるように貼着されており、前記粘着層は、前記印刷フレーム部及び前記覗き見防止フィルムの裏面全体に、裏面全体が平らとなる厚さに塗布されていること、を特徴とした覗き見防止シートである。
請求項２に係る発明は、前記印刷フレーム部は携帯端末機における表示領域の周囲を装飾するものであることを特徴とした請求項１に記載の覗き見防止シートである。
また、別発明として、以下のものでもよい。
表示領域を有する携帯端末機の、表示領域を有する表面の全体に貼着するシート部材（覗き見防止シート）とする。
シート部材は、透明な基材フィルムと、印刷フレーム部と、覗き見防止フィルム及び粘着層を備える。
そして、透明な基材フィルムは、携帯端末機の表面の全面を被覆する寸法であり、前記印刷フレーム部は、前記基材フィルムの裏面において携帯端末機の前記表示領域に対応する部分以外の部分を不透明塗料で塗りつぶして形成し、覗き見防止フィルムは、前記基材フィルムの裏面側から携帯端末機の前記表示領域に対応する部分に貼着し、前記粘着層は、前記印刷フレーム部及び覗き見防止フィルムの裏面を含む基材フィルムの裏面全体に、裏面全体が平らとなる厚さに塗布されたものとする。
【発明の効果】
【０００７】
本発明の覗き見防止シートは携帯端末機の表示領域を有する表面の全体に貼着するので、携帯端末の表面に段差が生じない。また、全体に貼着するので表示領域にのみ貼着する場合に比べて、携帯端末機の表面全体と表示領域との調和を取りやすい。
また、透明な基材フィルムによって携帯端末機の表面が保護されると共に、表示領域に覗き見防止機能が付加される。
さらに、表示領域以外の部分を印刷フレーム部としてあることによって、携帯端末機の美観を損ねることがなく、むしろ、表示領域の周辺を好みの色に変更するなど美感を高めることができる。
【図面の簡単な説明】
【０００８】
【図１】覗き見防止シート及び携帯端末機の斜視図である。
【図２】覗き見防止シートの断面図である。
【図３】覗き見防止シートの分解斜視図である。
【発明を実施するための形態】
【０００９】
以下、本発明の実施例を図面に基づいて詳細に説明する。
図１に示すように、本発明の覗き見防止シート１は、携帯電話機、タブレット端末等の携帯端末機Ａの表示領域ａを有する表面ｂに貼着するものである。携帯端末機Ａの表面ｂの表示領域ａを囲む枠部分ｆには、操作ボタンｃ、マイクロフォンｄ、センサーｅ等が設置されている。
図２及び図３に示すように、覗き見防止シート１は、基材フィルム２と、印刷フレーム部３と、覗き見防止フィルム４及び粘着層５を備える。符号８は剥離シートである。
【００１０】
基材フィルム２は、強化ガラス、ポリエステル樹脂、アクリル樹脂等を素材とし、携帯端末機Ａの表面ｂの全面を被覆可能な寸法を有する。また、基材フィルム２には、携帯端末機Ａの操作ボタンｃ、マイクロフォンｄ、センサーｅ等と対応する位置に、それぞれこれらを露出させる形状の透孔６が形成される。
基材フィルム２の厚みは、素材や、携帯端末機Ａの種類、機種等によって異なる。
【００１１】
印刷フレーム部３は、任意の色彩を有する不透明な塗料（紫外線硬化型インク等）を用いて、基材フィルム２の裏面の表示領域ａを囲む周囲部に印刷される。印刷フレーム部３の表面側に現れる意匠は、この実施例において、携帯端末機の表面ｂにおける前記枠部分ｆに一致したものとしている。
なお、印刷フレーム部３の基材フィルム２を通して見える意匠は種々に考えられるから、例えば、印刷フレーム部３の色が異なる複数種類の覗き見防止シート１を用意しておき、好みの色を選択できるようにする使用方法がある。
【００１２】
覗き見防止フィルム４は、フィルム面に対して一定角度以上傾斜した光を遮断する偏光フィルタ機能を有するフィルムであり、覗き見防止フィルム４を一面側から直角に近い角度で見ると透光して他面側を見ることができるが、斜めからは遮光されて他面側を見ることができない。
また、覗き見防止フィルム４は、携帯端末機Ａの表示領域ａとほぼ同じ寸法に形成され、基材フィルム２の裏面において印刷フレーム部３で囲まれた凹部（表示領域ａを覆う部分）７に嵌め込まれる形で配置され、ＯＣＡ光学粘着シート等によって貼着される。
通常、覗き見防止フィルム４の厚み（１６０μｍ程度）は印刷フレーム部３の塗厚よりも厚いので、覗き見防止フィルム４は印刷フレーム部３より裏側へ僅かに突出して両者の境界部には段差ができる。
【００１３】
粘着層５は、覗き見防止シート１を携帯端末機Ａの表面ｂに貼り付けるためのものであり、シリコン系粘着剤、ウレタン係粘着剤、アクリル系粘着剤等の公知の粘着剤を印刷フレーム部３及び覗き見防止フィルム４の裏面に塗布して形成され、裏面に剥離シート８が積層される。
粘着層５の厚みは、覗き見防止フィルム４と印刷フレーム部３の境界部の段差より厚くして覗き見防止シート１の裏面が平らになるようにするが、覗き見防止シート１を携帯端末機Ａの表面ｂに貼り付けた時に、粘着層５が押し出されてこない程度とする。望ましくは、覗き見防止フィルム４の裏面における粘着層５の厚みを約６０μｍとする。
【００１４】
覗き見防止シート１を使用する際には、剥離シート８を剥がして粘着層５を露出させ、粘着層５を介して携帯端末機Ａの表面ｂの全面に貼り付ける。すると、覗き見防止フィルム４が携帯端末機Ａの表示領域ａを覆って、表示領域ａに表示された内容を他人が覗き見るのを防ぎ、印刷フレーム部３が表示領域ａの周囲の枠部分ｆを覆う。
【００１５】
この時、粘着層５が印刷フレーム部３と覗き見防止フィルム４の境界部に形成された段差を吸収するので、覗き見防止シート１と携帯端末機Ａの表面との間に気泡が入り難く、携帯端末機Ａの表面ｂに密着して貼り付けられる。
なお、印刷フレーム部３を塗膜が厚く形成される塗料を使用して、塗膜を表示領域ａに貼着する覗き見防止フィルム４の厚さ寸法に近くして前記の段差を無くすることもできる。この場合、粘着層５の総厚を薄くすることができる。
【００１６】
覗き見防止シート１は、基材フィルム２をベースにして覗き見防止フィルム４及び印刷フレーム部が携帯端末機Ａの表面前面へ一挙に貼着されるので、貼着作業が簡単で失敗が少ない。また、貼着によって、表示領域に覗き見防止機能が付加されると共に、印刷フレーム部３によって、仮に、携帯端末機Ａの表示領域周囲の部分に汚れや擦過傷等が目立っていても一挙にリニューアルされる。
【符号の説明】
【００１７】
Ａ    携帯端末機
ａ    表示領域
ｂ    表面
ｃ    操作ボタン
ｄ    マイクロフォン
ｅ    センサー
ｆ    枠部分
１    覗き見防止シート
２    基材フィルム
３    印刷フレーム部
４    覗き見防止フィルム
５    粘着層
６    透孔
７    凹部
８    剥離シート
【図１】
0006603913.tif 000002
【図２】
0006603913.tif 000003
【図３】
0006603913.tif 000004